(57)【特許請求の範囲】
【請求項１】
天井側支持部から吊り下げられた上側吊持材を取り付ける上側取付部と、被吊持体を吊持する下側吊持材を取り付ける下側取付部と、前記上側取付部及び下側取付部の対向する側辺同士を連結する垂直部とからなるハウジングと、
前記上側取付部に設けられた取付孔に装着される貫通孔を有する上部ゴム座と、
一端が前記上部ゴム座に取着されるコイルばねと、
前記コイルばねの他端に取着される貫通孔を有する座金付き下部ゴム座と、
前記上部ゴム座とコイルばね及び座金付き下部ゴム座を貫通する前記上側吊持材の先端ねじ部にねじ結合される固定ナットと、を具備する天井吊下型防振具であって、
前記上側取付部及び下側取付部は、中央に取付孔を有する矩形状の板状基部と、該板状基部の一辺から水平方向に延在する三角状突出部とで形成され、前記垂直部は、前記上側取付部及び下側取付部の前記三角状突出部の二辺から屈曲され、前記三角状突出部の先端側の屈曲部に跨って切欠きが設けられると共に、前記屈曲部における前記三角状突出部の二辺と前記垂直部の両側辺に補強リブが形成され、かつ、前記垂直部における前記上側取付部及び下側取付部の三角状突出部の先端同士を結ぶ線上に前記座金付き下部ゴム座の位置が確認可能な縦長窓孔が設けられ、該縦長窓孔の上下方向の開口縁の両側に荷重確認用の目盛りを形成してなる、
ことを特徴とする天井吊下型防振具。
【発明の詳細な説明】
【技術分野】
【０００１】
この発明は、例えば空調機器や配管ダクト等の天井吊下型の機器を吊り下げる天井吊下型防振具に関するものである。
【背景技術】
【０００２】
従来、例えば空調機器や配管ダクト等の天井吊下型の機器を吊り下げる天井吊下型防振構造として、天井側支持部から吊り下げられた上側吊持材と、例えば空調機器等の被吊持体を吊持する下側吊持材とを取り付けるハウジングと、該ハウジングの上側取付部に装着される貫通孔を有する上部ゴム座と、一端が前記上部ゴム座に取着されるコイルばねと、該コイルばねの他端に取着される貫通孔を有する座金付き下部ゴム座と、前記上部ゴム座とコイルばね及び座金付き下部ゴム座を貫通する前記上側吊持材の先端ねじ部にねじ結合される固定ナットと、を具備する構造のものが知られている（例えば、特許文献１参照）。
【０００３】
特許文献１記載の構造によれば、少ない部品点数でコンパクト化でき、天井側支持部と被吊持体との間で振動が伝わることを抑制することができる。
【先行技術文献】
【特許文献】
【０００４】
【特許文献１】特開２０１１−１４１０１３号公報（図１，図６，図９）
【発明の概要】
【発明が解決しようとする課題】
【０００５】
ところで、コイルばねを具備するこの種の防振構造においては、被吊持体の重量に応じて特にコイルばねの安全率を考慮して設計されている。
【０００６】
特許文献１に記載のものにおいては、組付け作業時には、作業者はハウジングの開放側からスパナ等の工具をもってナットを締め付け、その締め付け量で被吊持体が水平となるように高さ調整している。また、被吊持体を複数箇所で吊持する場合、被吊持体の重心位置は中央でない場合が多く、かつ、各所への負荷荷重は一定でないため、各防振具に均一に荷重がかからないので、各防振具で被吊持体の高さ調整を行っている。
【０００７】
しかしながら、特許文献１に記載のものにおいては、作業者の目視や水平器（水準器）を用いてナットを締め付けて被吊持体の水平を調整するため、複数の防振具を調整して被吊持体の水平を得ることは容易でない。しかも、組み付け時の防振具の向きは一定でないため、ハウジングの開口側が被吊持体側に向き、垂直部が外部側に位置した場合には、更に被吊持体を水平に調整することが難しくなり、作業性が低下する懸念がある。
【０００８】
この発明は、上記事情に鑑みてなされたもので、少ない構成部材でコンパクト化が図れると共に、安全率を考慮したコイルばねを用いて、異なる負荷荷重によるたわみによって生じた被吊持体の高さ違いの水平調整を容易に行えるようにした天井吊下型防振具を提供することを目的とする。
【課題を解決するための手段】
【０００９】
上記課題を解決するため、この発明は、天井側支持部から吊り下げられた上側吊持材を取り付ける上側取付部と、被吊持体を吊持する下側吊持材を取り付ける下側取付部と、前記上側取付部及び下側取付部の対向する側辺同士を連結する垂直部とからなるハウジングと、前記上側取付部に設けられた取付孔に装着される貫通孔を有する上部ゴム座と、一端が前記上部ゴム座に取着されるコイルばねと、前記コイルばねの他端に取着される貫通孔を有する座金付き下部ゴム座と、前記上部ゴム座とコイルばね及び座金付き下部ゴム座を貫通する前記上側吊持材の先端ねじ部にねじ結合される固定ナットと、を具備する天井吊下型防振具であって、前記上側取付部及び下側取付部は、中央に取付孔を有する矩形状の板状基部と、該板状基部の一辺から水平方向に延在する三角状突出部とで形成され、前記垂直部は、前記上側取付部及び下側取付部の前記三角状突出部の二辺から屈曲され、前記三角状突出部の先端側の屈曲部に跨って切欠きが設けられると共に、前記屈曲部における前記三角状突出部の二辺と前記垂直部の両側辺に補強リブが形成され、かつ、前記垂直部における前記上側取付部及び下側取付部の三角状突出部の先端同士を結ぶ線上に前記座金付き下部ゴム座の位置が確認可能な縦長窓孔が設けられ、該縦長窓孔の上下方向の開口縁の両側に荷重確認用の目盛りを形成してなる、ことを特徴とする。
【００１０】
このように構成することにより、被吊持体の組付け時のナットの締め付け量に応じて移動する座金付き下部ゴム座を縦長窓孔から目視できると共に、座金付き下部ゴム座の位置を荷重確認用の目盛りによって確認することができる。
【００１４】
また、このように構成することにより、板状基部の先端側及び左右側方が開口され、三角状突出部の二辺に垂直部が屈曲されるので、ハウジングの開放側を広くすることができると共に、垂直部の強度を高めることができる。また、屈曲部に跨って切欠きが設けられ、屈曲部における三角状突出部の二辺と垂直部の両側辺に補強リブが形成されるので、ハウジングの曲げ加工を容易にすると共に、縦長窓孔を設けたハウジングの強度を向上させることができる。更に、垂直部における上側取付部及び下側取付部の三角状突出部の先端同士を結ぶ線上に縦長窓孔を設け、該縦長窓孔の上下方向の開口縁の両側に荷重確認用の目盛りを形成することにより、荷重確認用の目盛りを確認する範囲を広くすることができる。
【発明の効果】
【００１５】
この発明によれば、上記のように構成されているので、以下のような効果が得られる。
【００１６】
（１）請求項１記載の発明によれば、ハウジングの垂直部に設けた縦長窓孔及び荷重確認用の目盛りによって確認することができるので、少ない構成部材でコンパクト化が図れると共に、安全率を考慮したコイルばねを用いて、異なる負荷荷重によるたわみによって生じた被吊持体の高さ違いの水平調整を容易に行うことができ、組付け作業性の向上を図ることができる。
【００１８】
（２）また、請求項１記載の発明によれば、ハウジングの開放側を広くすることができるので、被吊持体の高さ調整及び水平調整作業を容易にすることができる。また、垂直部の強度を高めることができる上、ハウジングの曲げ加工を容易にすると共に、縦長窓孔を設けたハウジングの強度を向上させることができるので、上記（１）に加えて更にハウジングの肉厚を薄くでき、ハウジングのコンパクト化及び軽量化が図れる。更に、垂直部における上側取付部及び下側取付部の三角状突出部の先端同士を結ぶ線上に縦長窓孔を設け、該縦長窓孔の上下方向の開口縁の両側に荷重確認用の目盛りを形成することで、荷重確認用の目盛りを確認する範囲を広くすることができるので、上記（１）に加えて更に被吊持体の高さ調整及び水平調整作業を容易に行うことができ、組付け作業性の向上を図ることができる。
【図面の簡単な説明】
【００１９】
【図１】この発明に係る天井吊下型防振具の使用状態の一例を示す概略斜視図である。
【図２】図１のＩ部を拡大して示す斜視図である。
【図３】この発明に係る天井吊下型防振具の使用状態を示す側面図（ａ）及び（ａ）のII矢視図（ｂ）である。
【図４】この発明におけるハウジングを示す斜視図である。
【図５】この発明における上部ゴム座、コイルばね及び座金付き下部ゴム座の半部を断面で示す分解側面図である。
【図６】この発明に係る天井吊下型防振具を用いた被吊持体の組付け手順を示す概略側面図である。
【図７】この発明に係る天井吊下型防振具の別の使用状態の一例を示す概略斜視図である。
【発明を実施するための形態】
【００２０】
以下に、この発明に係る天井吊下型防振具の実施形態を添付図面に基づいて詳細に説明する。
【００２１】
図１は、この発明に係る天井吊下型防振具１（以下に防振具１という）を４個用いて被吊持体例えば空調機器２の角部の４箇所を吊持する場合の使用状態を示す概略斜視図である。
【００２２】
上記防振具１は、図１ないし図３に示すように、天井側支持部３から吊り下げられた上側吊持材である上側吊りボルト４を取り付ける上側取付部１１と、被吊持体である空調機器２を吊持する下側吊持材である下側吊りボルト５を取り付ける下側取付部１２と、上側取付部１１及び下側取付部１２の対向する側辺同士を連結する垂直部１３とからなるハウジング１０と、上側取付部１１に設けられた取付孔１１ａに装着される貫通孔２０ａを有する上部ゴム座２０と、一端が上部ゴム座２０に取着されるコイルばね３０と、コイルばね３０の他端に取着される貫通孔４０ａを有する座金付き下部ゴム座４０と、上部ゴム座２０とコイルばね３０及び座金付き下部ゴム座４０を貫通する上側吊りボルト４の先端ねじ部４ａにねじ結合される２個の固定ナット５０ａ，５０ｂと、を具備している。また、ハウジング１０の垂直部１３には、座金付き下部ゴム座４０の位置が確認可能な縦長窓孔６０が設けられると共に、縦長窓孔６０の上下方向の開口縁に荷重確認用の目盛り７０が形成されている。
【００２３】
上記ハウジング１０は、上側取付部１１及び下側取付部１２と垂直部１３とが、鋼板の曲げ加工によって一体に形成されている。この場合、図３及び図４に示すように、上側取付部１１及び下側取付部１２が、中央に取付孔１１ａ，１２ａを有する矩形状の板状基部１４と、該板状基部１４の一辺から水平方向に延在する三角状突出部１５とで形成されている。また、垂直部１３は、上側取付部１１及び下側取付部１２の三角状突出部１５の二辺から屈曲形成され、三角状突出部１５の先端側の屈曲部１６に跨って切欠き１７が設けられると共に、屈曲部１６における三角状突出部１５の二辺と垂直部１３の両側辺に左右一対の三角形状の補強リブ１８が形成されている。更に、垂直部１３における上側取付部１１及び下側取付部１２の三角状突出部１５の先端同士を結ぶ線上に縦長窓孔６０が設けられ、該縦長窓孔６０の上下方向の開口縁の両側に荷重確認用の目盛り７０が形成されている。この場合、目盛り７０は、縦長窓孔６０の上端縁から縦長窓孔６０の下端縁より下方側に等間隔に形成されている。
【００２４】
また、目盛り７０の上から３番目の目盛り７０は他の目盛り７０より太く形成されており、この３番目の目盛り７０によってコイルばね３０のたわみ量の上限位置を確認できるようになっている。これにより、座金付き下部ゴム座４０の下端が３番目の目盛り７０より上方に位置している場合は、防振具１に過剰に負荷がかかっているので、座金付き下部ゴム座４０の下端が３番目の目盛り７０より下方に位置しているかを監視することで、防振具の適正状態を確認することができる。
【００２５】
このように形成されるハウジング１０によれば、板状基部１４の先端側及び左右側方が開口され、三角状突出部１５の二辺に垂直部１３が屈曲されるので、ハウジング１０の開放側を広くすることができると共に、垂直部１３の強度を高めることができる。また、屈曲部１６に跨って切欠き１７が設けられ、屈曲部１６における三角状突出部１５の二辺と垂直部１３の両側辺に補強リブ１８が形成されるので、ハウジング１０の曲げ加工を容易にすると共に、縦長窓孔６０を設けたハウジング１０の強度を向上させることができる。更に、垂直部１３における上側取付部１１及び下側取付部１２の三角状突出部１５の先端同士を結ぶ線上に縦長窓孔６０を設け、該縦長窓孔６０の上下方向の開口縁の両側に荷重確認用の目盛り７０を形成することにより、荷重確認用の目盛り７０を確認する範囲を広くすることができる。
【００２６】
上記上部ゴム座２０は、例えばクロロプレインゴムにて形成されており、図５に示すように、上側取付部１１の上面に係止する円板状の上部係止部２１と、上側取付部１１の下面に係止する上部係止部２１よりも大径の円板状の下部係止部２２と、これら上下係止部２１，２２の間に形成された上部係止部２１よりも外径の小さい円板状の嵌合部２３と、上部係止部２１の上面に隆起する截頭円錐状の上部テーパ部２４と、下部係止部２２の下面から垂下する円柱状のばね受け部２５と、ばね受け部２５の下面から垂下する逆截頭円錐状の下部テーパ部２６とからなり、中心部には上側吊りボルト４が挿通可能な上下方向に延びる貫通孔２０ａが設けられている。
【００２７】
このように形成された上部ゴム座２０の上部テーパ部２４を、下方から上側取付部１１の取付孔１１ａに挿入すると、上部テーパ部２４及び上部係止部２１が圧縮変形して取付孔１１ａから上側取付部１１の上面側に突出した後、元の形状に復元する。これにより、嵌合部２３が取付孔１１ａに嵌合し、上側取付部１１が上部係止部２１と下部係止部２２との間に挟持されて、上部ゴム座２０は上側取付部１１に取着される。
【００２８】
なお、ばね受け部２５はコイルばね３０の内径よりも若干大径に形成されている。このため、コイルばね３０の上側の端部に下部テーパ部２６及びばね受け部２５を挿入すると、コイルばね３０の螺旋状内周部がばね受け部２５に食い込んで、コイルばね３０が上部ゴム座２０を介して上側取付部１１に固定される。
【００２９】
上記座金付き下部ゴム座４０は、例えばクロロプレインゴムにて形成されるゴム座本体４１と、ゴム座本体４１の下面に装着される平座金４２とを具備する。この場合、ゴム座本体４１は、図５に示すように、略扁平円柱状のナット受け部４３とナット受け部４３の上面から上方に延在する円柱状のばね受け部４４と、ばね受け部４４の上面に隆起する截頭円錐状のテーパ部４５とからなり、中心部には上側吊りボルト４が挿通可能な上下方向に延びる貫通孔４０ａが設けられている。
【００３０】
ナット受け部４３には、下方に開口する円形凹部４６が形成されており、この円形凹部４６の内周壁には周溝４７が周設されており、この周溝４７内に平座金４２が嵌挿されている。
【００３１】
なお、ばね受け部４４はコイルばね３０の内径よりも若干大径に形成されている。このため、コイルばね３０の下側の端部にテーパ部４５及びばね受け部４４を挿入すると、コイルばね３０の螺旋状内周部がばね受け部４４に食い込んで、コイルばね３０が座金付き下部ゴム座４０を介して上側取付部１１に固定される。
【００３２】
上記ハウジング１０の下側取付部１２に設けられた取付孔１２ａには、上方から下側吊りボルト５が挿入され、下側吊りボルト５の突出側ねじ部５ａには平座金５２を介して２個の固定ナット５１ａ，５１ｂがねじ結合されるようになっている。
【００３３】
次に、防振具１の取付手順について、図６を参照して説明する。まず、図６（ａ）に示すように、上側吊りボルト４を上方から上部ゴム座２０の貫通孔２０ａ、コイルばね３０の螺旋状内方及び座金付き下部ゴム座４０の貫通孔４０ａの順に挿通し、座金付き下部ゴム座４０の下面から突出する上側吊りボルト４の先端ねじ部４ａに固定ナット５０ａ，５０ｂをねじ結合させる。このとき、固定ナット５０ａ，５０ｂは上側吊りボルト４の先端のねじ部４ａが２〜３山覗く程度にする。
【００３４】
上記のようにして、上側吊りボルト４の先端ねじ部４ａに固定ナット５０ａ，５０ｂをねじ結合させることで、天井側支持部３から吊り下げられた上側吊りボルト４によって防振具１が吊持される。この状態で、ハウジング１０の下側取付部１２の取付孔１２ａに予め挿入された下側吊りボルト５の突出側の先端ねじ部５ａに平座金５２を介して固定ナット５１ａ，５１ｂをねじ結合しておく。そして、図６（ｂ）に示すように、空調機器２の角部から突設されたブラケット６に設けられた二又部６ａを下側取付部１２の下面と平座金５２との間に挿入し、二又部６ａ内に下側吊りボルト５を挿入した後、固定ナット５１ａ，５１ｂを締め付けて、防振具１とブラケット６とを固定する（図６（ｃ）参照）。
【００３５】
このようにして、空調機器２の４箇所に突設されたブラケット６をそれぞれ防振具１に固定して、４本の上側吊りボルト４を介して天井側支持部３の下方に仮吊持する。この状態で、作業者は各防振具１に設けられた縦長窓孔６０と、該縦長窓孔６０の上下方向の開口縁の両側に形成された荷重確認用の目盛り７０を見ながら上側吊りボルト４の先端ねじ部４ａにねじ結合する固定ナット５０ａ，５０ｂの締め付け量を調整して、異なる負荷荷重によるたわみによって生じた空調機器２の高さ（傾き）を調整して空調機器２を水平にする。
【００３６】
上記実施形態の防振具１によれば、ハウジング１０の垂直部１３に設けた縦長窓孔６０及び荷重確認用の目盛り７０によって確認することができるので、少ない構成部材でコンパクト化が図れると共に、安全率を考慮したコイルばね３０を用いて、異なる負荷荷重によるたわみによって生じた空調機器２の高さ違いの水平調整を容易に行うことができ、組付け作業性の向上を図ることができる。
【００３７】
また、ハウジング１０の開放側を広くすることができるので、空調機器２の高さ及び水平調整作業を容易にすることができる。また、垂直部１３の強度を高めることができる上、ハウジング１０の曲げ加工を容易にすると共に、縦長窓孔６０を設けたハウジング１０の強度を向上させることができるので、更にハウジング１０の肉厚を薄くでき、ハウジング１０のコンパクト化が図れる。更に、垂直部１３における上側取付部１１及び下側取付部１２の三角状突出部１５の先端同士を結ぶ線上に縦長窓孔６０を設け、該縦長窓孔６０の上下方向の開口縁の両側に荷重確認用の目盛り７０を形成することで、荷重確認用の目盛り７０を確認する範囲を広くすることができるので、更に空調機器２の高さ及び水平調整作業を容易に行うことができ、組付け作業性の向上を図ることができる。
【００３８】
なお、上記実施形態では、この発明に係る防振具１を空調機器２の吊持用に適用した場合について説明したが、被吊持体は必ずしも空調機器２だけではなく、その他の被吊持体であってもよい。例えば、図７に示すように、天井側支持部３から吊り下げられる上側吊りボルト４に取り付けられた防振具１の下側取付部１２に取り付けられる下側吊りボルト５Ａによって配管ダクト２Ａを吊持する場合にも同様に適用できる。この場合、配管ダクト２Ａを保持する保持バンド７に下側吊りボルト５の先端ねじ部５ａをねじ結合して、配管ダクト２Ａを吊持する。
【００３９】
また、上記実施形態では、ハウジング１０が矩形状の板状基部１４と、該板状基部１４の一辺から水平方向に延在する三角状突出部１５とで形成され、垂直部１３は、上側取付部１１及び下側取付部１２の三角状突出部１５の二辺から屈曲形成される場合について説明したが、ハウジング１０の形状は必ずしもこの形状に限定されるものではない。例えば、板状基部の先端を円弧状に形成してもよい。また、ハウジング１０は、上側取付部１１及び下側取付部１２と垂直部１３とが屈曲形成され、屈曲部１６に跨って切欠き１７が形成されると共に、屈曲部１６における上側取付部１１及び下側取付部１２の両側辺と垂直部１３の両側辺に補強リブ１８が形成されるものであれば、その他の形状であってもよい。
【符号の説明】
【００４０】
１  防振具
２  空調機器（被吊持体）
２Ａ  配管ダクト（被吊持体）
３  天井側支持部
４  上側吊りボルト（上側吊持材）
４ａ  ねじ部
５，５Ａ  下側吊りボルト（下側吊持材）
５ａ  ねじ部
１０  ハウジング
１１  上側取付部
１１ａ  取付孔
１２  下側取付部
１２ａ  取付孔
１３  垂直部
１４  板状基部
１５  三角状突出部
１６  屈曲部
１７  切欠き
１８  補強リブ
２０  上部ゴム座
２０ａ  貫通孔
３０  コイルばね
４０  座金付き下部ゴム座
４０ａ  貫通孔
４１  ゴム座本体
４２  平座金
５０ａ，５０ｂ  固定ナット
５１ａ，５１ｂ  固定ナット
６０  縦長窓孔
７０  荷重確認用目盛り
【図１】
0005835796.tif 000002
【図２】
0005835796.tif 000003
【図３】
0005835796.tif 000004
【図４】
0005835796.tif 000005
【図５】
0005835796.tif 000006
【図６】
0005835796.tif 000007
【図７】
0005835796.tif 000008